(57)【要約】【課題】リサイクルする際に、接着剤が不純物として付着したまま残ることを抑制可能にする界磁極用磁石体、ロータコア、界磁極用磁石体の製造方法及び界磁極用磁石体の分解方法を提供する。【解決手段】界磁極用磁石体３０は、複数の磁石片３１を接着剤４０によって結合することで構成される。接着剤４０には、電気分解性の接着剤樹脂材が用いられる。【選択図】図２
2016077035.tif 000002
【特許請求の範囲】
【請求項１】
複数の磁石片を接着剤によって結合することで構成される界磁極用磁石体であって、
前記複数の磁石片を電気分解性の接着剤樹脂材によって結合することで構成される界磁極用磁石体。
【請求項２】
請求項１に記載の界磁極用磁石体であって、
前記複数の磁石片の磁石片間に電極を配置し、
前記電極は、電気分解性の接着剤樹脂材を用いて前記複数の磁石片のうち前記磁石片間を形成する磁石片に固着されていることを特徴とする界磁極用磁石体。
【請求項３】
請求項１又は２に記載の界磁極用磁石体であって、
前記界磁極用磁石体に、導電性の材料を用いた表面処理がさらに施されていることを特徴とする界磁極用磁石体。
【請求項４】
請求項１から３のいずれかに記載の界磁極用磁石体が磁石挿入孔に配設されたロータコアであって、
前記界磁極用磁石体は、電気分解性の接着剤樹脂材によって前記磁石挿入孔に固定されていることを特徴とするロータコア。
【請求項５】
請求項４に記載のロータコアであって、
前記磁石挿入孔と前記界磁極用磁石体との間に電極を配置し、
前記電極は、電気分解性の接着剤樹脂材を用いて前記界磁極用磁石体に固着されていることを特徴とするロータコア。
【請求項６】
請求項５に記載のロータコアであって、
前記電極は、該ロータコアの回転軸方向における端面よりも回転軸方向外側に飛び出ており、当該飛び出ている部分の長さは、前記導電性の電極が設けられている位置から、該ロータコアの径方向外側端面までの距離より短いことを特徴とするロータコア。
【請求項７】
請求項５に記載のロータコアであって、
前記電極は、該ロータコアの回転軸方向における端面よりも回転軸方向外側に飛び出ており、当該飛び出ている部分は、該ロータコアの径方向内側に向かって折りたたまれていることを特徴とするロータコア。
【請求項８】
複数の磁石片を接着剤によって結合することで構成される界磁極用磁石体を製造するための界磁極用磁石体の製造方法であって、
複数の磁石片を電気分解性の接着剤樹脂材によって結合することで、前記界磁極用磁石体を構成する界磁極用磁石体の製造方法。
【請求項９】
請求項２又は３に記載の界磁極用磁石体を分解するための界磁極用磁石体の分解方法であって、
前記複数の磁石片のうち電気分解性の接着剤樹脂材によって前記電極が固着されている磁石片に陽極端子を接続する工程と、
前記電極に陰極端子を接続する工程と、
前記陽極端子及び前記陰極端子間に電圧を印加する工程と、を有することを特徴とする界磁極用磁石体の分解方法。
【発明の詳細な説明】
【技術分野】
【０００１】
本発明は界磁極用磁石体、ロータコア、界磁極用磁石体の製造方法及び界磁極用磁石体の分解方法に関する。
【背景技術】
【０００２】
特許文献１では、永久磁石を割断して形成した割断片同士を嵌め合わせて永久磁石を復元する永久磁石の製造方法が開示されている。このように製造された永久磁石は、渦電流の発生を抑制する。特許文献１では具体的には、割断片同士を樹脂にて接着し、永久磁石に復元することが開示されている。
【先行技術文献】
【特許文献】
【０００３】
【特許文献１】特開２００９−１４２０８１号公報
【発明の概要】
【発明が解決しようとする課題】
【０００４】
界磁極用磁石体は、リサイクルすることができる。ところが、複数の磁石片を接着剤によって結合することで構成した界磁極用磁石体をリサイクルする場合、磁石片には接着剤が不純物として付着したまま残る虞がある。接着剤は例えば、界磁極用磁石体を脱磁する際に加熱されることで、炭化した状態で磁石片に付着したまま残ることがある。
【０００５】
本発明は上記に鑑みてなされてものであり、リサイクルする際に、接着剤が不純物として付着したまま残ることを抑制可能にする界磁極用磁石体、ロータコア、界磁極用磁石体の製造方法及び界磁極用磁石体の分解方法を提供することを目的とする。
【課題を解決するための手段】
【０００６】
本発明のある態様の界磁極用磁石体は、複数の磁石片を接着剤によって結合することで構成される界磁極用磁石体であって、前記複数の磁石片を電気分解性の接着剤樹脂材によって結合することで構成されることを特徴とする。
【発明の効果】
【０００７】
上記態様の界磁極用磁石体によれば、複数の磁石片が電気分解性の接着剤樹脂材によって結合されている。このため、リサイクルする際に、電気分解性の接着剤樹脂材によって結合された磁石片同士の間に電圧を印加することで、陽極が接続されている磁石片と、接着剤との間で剥離を生じさせることが可能になる。結果、接着剤が不純物として付着したまま残ることを抑制することが可能になる。
【図面の簡単な説明】
【０００８】
【図１】図１は、第１の実施形態における界磁極用磁石体およびロータコアを備える永久磁石型電動機の主要部の構成を示す概略構成図である。
【図２】図２は、界磁極用磁石体を示す図である。
【図３】図３は、第１の実施形態における界磁極用磁石体の分解方法の第１の例の説明図である。
【図４】図４は、第１の実施形態における界磁極用磁石体の分解方法の第２の例の説明図である。
【図５】図５は、第１の実施形態における界磁極用磁石体の取り出し方法の説明図である。
【図６】図６は、第２の実施形態における界磁極用磁石体の取り出し方法の第１の例の説明図である。
【図７】図７は、第２の実施形態における界磁極用磁石体の取り出し方法の第２の例の説明図である。
【図８】図８は、導電タブのうちロータコアの回転軸方向における端面よりも飛び出ている部分の長さについて説明するための図である。
【図９】図９は、導電タブを、ロータの径方向内側に向かって折りたたんだ状態を示す図である。
【図１０】図１０は、第２の実施形態における界磁極用磁石体の分解方法の第１の例の説明図である。
【図１１】図１１は、第２の実施形態における界磁極用磁石体の分解方法の第２の例の説明図である。
【発明を実施するための形態】
【０００９】
以下、添付図面を参照しながら本発明の実施形態について説明する。いくつかの図面を通して付された同じ符号は、同一又は対応する構成を示す。
【００１０】
＜第１の実施形態＞
図１は、第１の実施形態における界磁極用磁石体３０およびロータコア２１を備える永久磁石型電動機の主要部の構成を示す概略構成図である。図１において、左側の図は、永久磁石型電動機の断面図であり、右側の図は、側面図である。この永久磁石型電動機は、例えば、電気自動車に搭載されて車両の駆動源として用いられる。ただし、永久磁石型電動機の適用先が自動車に限定されることはない。
【００１１】
永久磁石型電動機（以下、単に「電動機」と呼ぶ）は、図示しないケーシングの一部を構成する円環形のステータ１０と、このステータ１０と同軸的に配置された円柱形のロータ２０とを備える。
【００１２】
ステータ１０は、ステータコア１１と、複数のコイル１２とを備える。複数のコイル１２は、ステータコア１１に軸心Ｏを中心とした同一円周上に等角度間隔で形成されるスロット１３に収設される。
【００１３】
ロータ２０は、ロータコア２１と、ロータコア２１と一体的に回転する回転軸２３とを備える。ロータコア２１には、軸心Ｏを中心とした同一円周上に等角度間隔でスロット（磁石挿入孔）２２が形成されており、各スロット２２に界磁極用磁石体３０が収設されている。界磁極用磁石体３０は、永久磁石を構成する。
【００１４】
ロータコア２１は、円環状に形成された強磁性体からなる積層鋼板を、回転軸２３の軸方向に沿って複数積み重ねた円柱形状に構成されており、外側表面には絶縁コーティングが施されている。このため、ロータコア２１自体は導電性を有する。
【００１５】
図２に示すように、界磁極用磁石体３０は、複数の磁石片３１を接着剤４０によって結合することで構成される。複数の磁石片３１は、界磁極用磁石体３０の磁石基材を割断することにより作製される。したがって、界磁極用磁石体３０は、まず磁石基材を割断によって複数の磁石片３１に分割し、分割によって作製した複数の磁石片３１を接着剤４０によって結合することで構成される。複数の磁石片３１は、接着剤４０によって割断面同士で結合することができる。
【００１６】
界磁極用磁石体３０は、具体的には次のように構成することができる。すなわち、まず厚み方向の平面視で矩形状となる形状を有する磁石基材を幅方向に沿って割断することで、複数の磁石片３１を作製する。そして、作製した複数の磁石片３１を接着剤４０によって割断面同士で結合する。これにより、界磁極用磁石体３０が一列に整列した磁石片３１の集合体として構成される。複数の磁石片３１は、界磁極用磁石体３０の磁石基材をカッター等で切断することで、作製されてもよい。
【００１７】
接着剤４０には、電気分解性の接着剤樹脂材が用いられる。電気分解性の接着剤樹脂材とは、電流を流す（電圧を印加する）と剥離する性質を有する接着剤樹脂材である。電気分解性の接着剤樹脂材には例えば、エポキシ系化合物を含むエポキシ系接着剤や、アクリル系ポリマーと電解液とを含む接着剤樹脂材など、公知のものを用いることができる。接着剤４０は、シート状接着剤であってもよい。シート状接着剤としての接着剤４０の形状は、板状であってもよく、メッシュ状であってもよい。
【００１８】
界磁極用磁石体３０は、作用する磁界の変動により発生する渦電流を個々の磁石片３１内に留めることにより低減させる。これにより、渦電流に伴う界磁極用磁石体３０の発熱を抑制し、不可逆な熱減磁を防止する。界磁極用磁石体３０は、接着剤４０を用いてスロット２２に固定される。
【００１９】
次に、界磁極用磁石体３０についてさらに説明する。
【００２０】
界磁極用磁石体３０の磁石基材は、電気良導体の材料を用いて構成することができる。磁石基材は例えば、ネオジウム鉄ホウ素系焼結磁石や、サマリウムコバルト系焼結磁石である。界磁極用磁石体３０の磁石基材は、絶縁体磁石であってもよい。絶縁体磁石は、絶縁性を有する磁石であり、例えばフェライト磁石である。
【００２１】
磁石片３１は、焼結により個別に作製されてもよい。具体的には磁石片３１は、電気良導体の材料を用いて焼結により個別に作製された導体磁石であってもよい。また、焼結により個別に作製された絶縁体磁石であってもよい。複数の磁石片３１は、これらの導体磁石と絶縁体磁石の組み合わせによって構成されてもよい。複数の磁石片３１は、割断や切断によって作製された磁石片３１と、焼結により個別に作製された磁石片３１との組み合わせであってもよい。
【００２２】
磁石片３１が絶縁体磁石である場合、高い電気抵抗によって、渦電流の発生を抑制することができる。このような磁石片３１には、導電性の材料、特に電気伝導性の高い材料を用いた表面処理を施すことができる。表面処理に用いる電気伝導性の高い材料とは、例えば、ニッケル、アルミニウム、銅、金や、それらの合金である。
【００２３】
次に、界磁極用磁石体３０の分解方法について説明する。
【００２４】
図３は、第１の実施形態における界磁極用磁石体３０の分解方法の第１の例の説明図である。この例では、接着剤４０で結合された磁石片３１それぞれが、電気良導体の材料を用いて構成された導体磁石である場合を示す。界磁極用磁石体３０の分解は、次のように行われる。すなわち、絶縁性の台の上に界磁極用磁石体３０を載せ、接着剤４０で結合された一方の磁石片３１に陽極端子を、他方の磁石片３１に陰極端子を接続し、陽極端子および陰極端子間に電圧を印加する。これにより、陽極が接続されている磁石片３１と、接着剤４０との間で剥離が生じるので、界磁極用磁石体３０を容易に分解することができる。
【００２５】
図４は、第１の実施形態における界磁極用磁石体３０の分解方法の第２の例の説明図である。この例では、接着剤４０で結合された一方の磁石片３１が絶縁体磁石であり、且つ上述の表面処理が施されたものである場合を示す。また、他方の磁石片３１が、導体磁石である場合の例を示す。この場合も、図３に示す第１の例と同様に界磁極用磁石体３０を分解することができる。
【００２６】
ところで、界磁極用磁石体３０は、接着剤４０を用いてスロット２２に固定することができる。また、上述の表面処理は、界磁極用磁石体３０全体にも施すことができる。この場合、界磁極用磁石体３０は次のようにしてロータコア２１から取り出すことができる。
【００２７】
図５は、第１の実施形態における界磁極用磁石体３０の取り出し方法の説明図である。ロータコア２１から界磁極用磁石体３０を取り出す場合、絶縁性の台の上にロータ２０を載せ、界磁極用磁石体３０に陽極端子を、ロータコア２１に陰極端子を接続し、陽極端子および陰極端子間に電圧を印加する。これにより、陽極が接続されている界磁極用磁石体３０と、接着剤４０との間で剥離が生じる。結果、ロータコア２１から界磁極用磁石体３０を取り出すことができる。
【００２８】
なお、表面処理が施された界磁極用磁石体３０を図３や図４を用いて説明したように分解するにあたっては、表面処理を予め剥離してから、界磁極用磁石体３０の分解を行うことができる。表面処理を界磁極用磁石体３０と磁石片３１とに施す場合、表面処理は重複しないように施されてよい。
【００２９】
以上、第１の実施形態では、複数の磁石片３１を電気分解性の接着剤樹脂材である接着剤４０によって結合することで、界磁極用磁石体３０を構成する。このように構成された界磁極用磁石体３０では、リサイクルする際に、接着剤４０によって結合された磁石片３１同士の間に電圧を印加することで、陽極が接続されている磁石片３１と、接着剤４０との間で剥離を生じさせることが可能になる。結果、接着剤４０が不純物として付着したまま残ることを抑制することが可能になる。
【００３０】
界磁極用磁石体３０には、導電性の材料を用いた表面処理をさらに施すことができる。このように構成された界磁極用磁石体３０によれば、接着剤４０を用いてスロット２２に固定することで、リサイクルする際に、界磁極用磁石体３０、ロータコア２１間に電圧を印加して、界磁極用磁石体３０を容易に取り出すことが可能になる。また、界磁極用磁石体３０を固定する接着剤４０が、不純物として付着したまま残ることの抑制も可能になる。
【００３１】
ロータコア２１は、スロット２２に界磁極用磁石体３０が配設されており、界磁極用磁石体３０が、接着剤４０を用いてスロット２２に固定された構成とすることができる。このような構成のロータコア２１によれば、リサイクルする際に、界磁極用磁石体３０、ロータコア２１間に電圧を印加することで、界磁極用磁石体３０を容易に取り出すことが可能になる。また、界磁極用磁石体３０を固定する接着剤４０が、不純物として付着したまま残ることの抑制も可能になる。
【００３２】
界磁極用磁石体３０を分解する際には、接着剤４０で結合された一方の磁石片３１に陽極端子を、他方の磁石片３１に陰極端子を接続し、陽極端子および陰極端子間に電圧を印加する。これにより、陽極が接続されている磁石片３１と、接着剤４０との間で剥離を生じさせることが可能になる。結果、リサイクルする際に、接着剤４０が不純物として付着したまま残ることを抑制することが可能になる。
【００３３】
＜第２の実施形態＞
第２の実施形態におけるロータコア２１および界磁極用磁石体３０は、以下で説明するように、電圧を印加するための導電タブ５０をさらに備える。第２の実施形態における界磁極用磁石体３０およびロータコア２１は、第１の実施形態におけるロータコア２１および界磁極用磁石体３０の代わりに、前述の永久磁石型電動機に用いることができる。
【００３４】
第２の実施形態におけるロータコア２１では、図６に示すように、ロータコア２１のスロット２２と界磁極用磁石体３０との間に導電タブ５０を設ける。導電タブ５０は電極であり、導電性の材料（例えば、アルミニウム）により構成されている。導電タブ５０は界磁極用磁石体３０およびロータコア２１のスロット２２と、接着剤４０によって固着される。導電タブ５０の形状は板状であってもよく、メッシュ状であってもよい。
【００３５】
導電タブ５０は、ロータコア２１の回転軸の軸方向における端面よりも、回転軸方向外側に飛び出ている。これにより、界磁極用磁石体３０を取り出すために電圧を印加するための端子を容易に、導電タブ５０に取り付けることができる。第２の実施形態における界磁極用磁石体３０も、導電性の材料を用いた表面処理を施すことができる。この場合、界磁極用磁石体３０は次に説明するようにしてロータコア２１から取り出すことができる。
【００３６】
すなわち、絶縁性の台の上にロータを載せ、界磁極用磁石体３０に陽極端子を、導電タブ５０に陰極端子を接続し、陽極端子および陰極端子間に電圧を印加する。これにより、陽極が接続されている界磁極用磁石体３０と、接着剤４０との間で剥離が生じるので、ロータコア２１から界磁極用磁石体３０を取り出すことができる。
【００３７】
第２の実施形態では、ロータコア２１が不導体により構成されてもよい。ロータコア２１が不導体により構成されても、界磁極用磁石体３０に陽極端子を、導電タブ５０に陰極端子を接続し、陽極端子および陰極端子間に電圧を印加すれば、ロータコア２１から界磁極用磁石体３０を取り出すことができる。この場合、ロータコア２１には、例えば絶縁コーティングされた軟磁性粉末を圧縮成形することにより製造される圧粉磁心を適用することができる。
【００３８】
ロータコア２１が不導体により構成されている場合、導電タブ５０は図７に示すように、接着剤４０によって、界磁極用磁石体３０およびロータコア２１のスロット２２のうち界磁極用磁石体３０と固着されてもよい。
【００３９】
この場合、ロータコア２１から界磁極用磁石体３０を取り出す際に、導電タブ５０に陽極端子を、界磁極用磁石体３０に陰極端子を接続し、陽極端子および陰極端子間に電圧を印加する。これにより、陽極が接続されている導電タブ５０と、接着剤４０との間で剥離が生じるので、ロータコア２１から界磁極用磁石体３０を取り出すことができる。この場合、界磁極用磁石体３０は、例えば接着剤４０以外の接着剤など、適宜の方法によってロータコア２１のスロット２２に固定されてよい。この場合、接着剤４０の使用量を低減することができる。
【００４０】
導電タブ５０がロータコア２１の回転軸方向における端面よりも飛び出ている部分の長さが、導電タブ５０が設けられている位置から、ロータコア２１の径方向外側端面までの距離以上あると、導電タブ５０が電動機の動作に影響を及ぼす可能性がある。従って、導電タブ５０がロータコア２１の回転軸方向における端面よりも飛び出ている部分の長さは、導電タブ５０が設けられている位置から、ロータコア２１の径方向外側端面までの距離より短いものとする。
【００４１】
図８は、導電タブ５０のうちロータコア２１の回転軸方向における端面よりも飛び出ている部分の長さについて説明するための図である。図８に示す例では、導電タブ５０が設けられている位置から、ロータコア２１の径方向外側端面までの距離がＬ１であり、導電タブ５０がロータコア２１の回転軸方向における端面よりも飛び出ている部分の長さがＬ２であるから、Ｌ１＞Ｌ２の関係が成り立つように、Ｌ２を定める。なお、図８では、導電タブ５０と界磁極用磁石体３０との間、および、導電タブ５０とロータコア２１のスロット２２との間に設けられている接着剤４０は省略している。
【００４２】
ロータコア２１の回転軸方向における端面よりも回転軸方向外側に飛び出た導電タブ５０を、ロータの径方向内側に向かって（回転軸２３の方向に向かって）折りたたむように構成してもよい。図９は、ロータコア端面から飛び出ている導電タブ５０を、ロータの径方向内側に向かって折りたたんだ状態を示す図である。このように、導電タブ５０を、ロータの径方向内側に向かって折りたたんだ状態にしておけば、電動機の組み立て時に、ロータの回転軸方向外側から図示しないエンドプレートでプレスされた場合でも、導電タブ５０が潰されてぐしゃぐしゃになるのを防ぐことができる。なお、図９では、導電タブ５０と界磁極用磁石体３０との間、および、導電タブ５０とロータコア２１のスロット２２との間に設けられている接着剤４０は省略している。
【００４３】
ところで、第２の実施形態における界磁極用磁石体３０では、図１０に示すように、複数の磁石片３１の磁石片間に導電タブ５０を設ける。導電タブ５０は、接着剤４０によって複数の磁石片３１のうち上記磁石片間を形成する磁石片３１それぞれと固着される。
【００４４】
第２の実施形態において、ロータコア２１から取り出した界磁極用磁石体３０の分解は、次のように行われる。すなわち、絶縁性の台の上に界磁極用磁石体３０を載せ、接着剤４０によって導電タブ５０が固着された磁石片３１に陽極端子を、導電タブ５０に陰極端子を接続し、陽極端子および陰極端子間に電圧を印加する。これにより、陽極が接続されている磁石片３１と、接着剤４０との間で剥離が生じるので、界磁極用磁石体３０を容易に分解することができる。
【００４５】
第２の実施形態における界磁極用磁石体３０では、導体磁石の表面に絶縁処理を施した磁石も磁石片３１に用いることができる。ただし、この場合には、図１１に示すように、導電タブ５０に陽極端子を、導体磁石からなる磁石片３１に陰極端子を接続し、陽極端子および陰極端子間に電圧を印加する。これにより、陽極が接続されている導電タブ５０と、導体磁石からなる磁石片３１を結合していた接着剤４０との間で剥離が生じるので、界磁極用磁石体３０を容易に分解することができる。
【００４６】
以上、第２の実施形態における界磁極用磁石体３０では、複数の磁石片３１の磁石片間に導電タブ５０を配置し、導電タブ５０を、接着剤４０を用いて複数の磁石片３１のうち当該磁石片間を形成する磁石片３１に固着した。これにより、界磁極用磁石体３０を分解するにあたり、電圧印加用の端子を導電タブ５０に取り付ければよくなるので、作業性が向上する。
【００４７】
第２の実施形態におけるロータコア２１では、スロット２２と界磁極用磁石体３０との間に導電タブ５０を配置し、導電タブ５０を、接着剤４０を用いて界磁極用磁石体３０と固着した。これにより、界磁極用磁石体３０を取り出すにあたり、電圧印加用の端子を導電タブ５０に取り付ければよくなるので、作業性が向上する。
【００４８】
導電タブ５０は、ロータコア２１の回転軸方向における端面よりも回転軸方向外側に飛び出ている。この場合、飛び出ている部分の長さを、導電タブ５０が設けられている位置から、ロータコア２１の径方向外側端面までの距離より短くすることにより、導電タブ５０が電動機の動作に影響を及ぼすのを防ぐことができる。
【００４９】
導電タブ５０が、ロータコア２１の回転軸方向における端面よりも回転軸方向外側に飛び出ている場合、飛び出ている部分を、ロータコア２１の径方向内側に向かって折りたたむように構成してもよい。この構成によれば、電動機の組み立て時に、ロータの回転軸方向外側から図示しないエンドプレートでプレスされた場合でも、導電タブ５０が潰されてぐしゃぐしゃになるのを防ぐことができる。
【００５０】
界磁極用磁石体３０を分解する際には、接着剤４０によって導電タブ５０が固着された磁石片３１に陽極端子を、導電タブ５０に陰極端子を接続し、陽極端子および陰極端子間に電圧を印加する。これにより、陽極が接続されている磁石片３１と、接着剤４０との間で剥離が生じるので、接着剤４０が不純物として付着したまま残ることを抑制しながら、界磁極用磁石体３０を容易に分解することができる。
【００５１】
以上、本発明の実施形態について説明したが、上記実施形態は本発明の適用例の一部を示したに過ぎず、本発明の技術的範囲を上記実施形態の具体的構成に限定する趣旨ではない。
【００５２】
例えば、界磁石用磁石体３０は磁石片３１同士を接着する接着剤４０とは異なる接着剤でスロット２２に固定されてもよい。
【符号の説明】
【００５３】
１０    ステータ
１１    ステータコア
１２    コイル
１３    スロット
２０    ロータ
２１    ロータコア
２２    スロット
２３    回転軸
３０    界磁極用磁石体
３１    磁石片
４０    接着剤
５０    導電タブ
【図１】
2016077035.tif 000003
【図２】
2016077035.tif 000004
【図３】
2016077035.tif 000005
【図４】
2016077035.tif 000006
【図５】
2016077035.tif 000007
【図６】
2016077035.tif 000008
【図７】
2016077035.tif 000009
【図８】
2016077035.tif 000010
【図９】
2016077035.tif 000011
【図１０】
2016077035.tif 000012
【図１１】
2016077035.tif 000013